(57)【要約】【課題】独立appを実行中に関連番組の放送が開始された場合に自動的に関連番組に切り替える。【解決手段】放送受信装置（１００）は、放送信号受信部（１１）と、通信信号受信部（１３）と、通信コンテンツ受信管理部（１６ａ）と、放送信号に含まれるapp制御信号に従って通信コンテンツ受信管理部に放送関連appの受信を要求するアプリケーション制御部（１６ｂ）と、放送関連appおよび独立appを択一的に実行するアプリケーションエンジン部（１６ｃ）と、独立appの実行中に、独立appに付随する情報であって独立appの関連番組の選局情報から受信可能な関連番組の選局情報を抽出する選局決定部（１６ｄ）と、独立appの実行中に、現在時刻を監視して受信可能な関連番組の放送開始時刻になったとき、放送信号受信部に対して受信可能な関連番組の放送チャンネルの選局を指示する自動選局部（１６ｅ）とを備えている。【選択図】図１
2015033008.tif 000002
【特許請求の範囲】
【請求項１】
放送波を通じて放送信号を受信する放送信号受信部と、
通信網を通じて通信信号を受信する通信信号受信部と、
前記通信信号受信部による通信コンテンツの受信を管理する通信コンテンツ受信管理部と、
前記放送信号受信部によって受信された放送信号に含まれるアプリケーション制御信号に従って前記通信コンテンツ受信管理部に放送関連アプリケーションの受信を要求するアプリケーション制御部と、
前記アプリケーション制御信号に従って前記通信網を通じて受信された放送関連アプリケーションおよび前記アプリケーション制御信号とは無関係に前記通信網を通じて受信された独立アプリケーションを択一的に実行するアプリケーションエンジン部と、
前記アプリケーションエンジン部によって前記独立アプリケーションが実行されている場合において、前記独立アプリケーションに付随する情報であって前記独立アプリケーションの関連番組の選局情報から受信可能な関連番組の選局情報を抽出する選局決定部と、
前記アプリケーションエンジン部によって前記独立アプリケーションが実行されている場合において、現在時刻を監視して前記受信可能な関連番組の放送開始時刻になったとき、前記放送信号受信部に対して前記受信可能な関連番組の放送チャンネルの選局を指示する自動選局部とを備えている
ことを特徴とする放送受信装置。
【請求項２】
前記独立アプリケーションの関連番組の選局情報が、前記通信網に接続された外部のサーバー装置に保存されており、
前記選局決定部が、前記サーバー装置に保存されている前記選局情報から受信可能な関連番組の選局情報を抽出する、請求項１に記載の放送受信装置。
【請求項３】
電子番組ガイドデータを検索して、前記独立アプリケーションの関連番組の選局情報に含まれる個別の関連番組が電子番組ガイドデータ中に存在するか否かを判定する電子番組ガイド制御部を備え、
前記電子番組ガイドデータが、前記通信網に接続された外部のサーバー装置に保存されており、
前記電子番組ガイド制御部が、前記サーバー装置に保存されている電子番組ガイドデータを検索する、請求項１および２のいずれか一つに記載の放送受信装置。
【請求項４】
前記自動選局部が、前記放送信号受信部に対して前記放送チャンネルの選局を指示する前に、前記独立アプリケーションの実行中止の可否をユーザーに問い合わせ、ユーザーが許可した場合にのみ、放送信号受信部に対して前記放送チャンネルの選局を指示する、請求項１から３のいずれか一つに記載の放送受信装置。
【請求項５】
前記自動選局部が、前記放送信号受信部に対して前記放送チャンネルの選局を指示する前に、バックグラウンドで前記受信可能な関連番組の放送チャンネルの受信テストを行う、請求項１から４のいずれか一つに記載の放送受信装置。
【請求項６】
前記放送チャンネルが受信不能である場合、前記選局決定部が、前記独立アプリケーションの関連番組の選局情報から別の関連番組の選局情報を抽出する、請求項５に記載の放送受信装置。
【発明の詳細な説明】
【技術分野】
【０００１】
本発明は、放送受信装置に関し、特に、放送関連アプリケーションを実行可能な放送受信装置に関する。
【背景技術】
【０００２】
近年、地上デジタル放送、衛星デジタル放送、ケーブルテレビジョン放送などの放送波を受信する放送受信装置がインターネットなどの通信網に接続されるようになり、放送と通信が融合したサービス（日本ではHybridcastと呼ばれる方式）が提供され始めている（例えば、特許文献１を参照）。そのようなサービス上で稼働するアプリケーションは、次の２つに大別できる。一つは、アプリケーションの起動〜イベント発生〜終了までが放送により管理される放送関連アプリケーションであり、もう一つは、放送とは無関係な独立アプリケーションである。
【０００３】
放送関連アプリケーションは、アプリケーション自体の取得先を含めてアプリケーションのライフサイクルがすべて放送により管理されるため、放送関連アプリケーションを使用するためには、該当する放送チャンネルを選局する必要がある。一方、独立アプリケーションは、放送とは無関係なため、特定の放送を受信しなくても使用することができる。
【先行技術文献】
【特許文献】
【０００４】
【特許文献１】特開２００３−１５３２１８号公報
【発明の概要】
【発明が解決しようとする課題】
【０００５】
非放送関連アプリケーションは放送とは無関係であるが、アプリケーションの内容が放送の内容と関係する場合がある。例えば、番組のキャラクターを使用したゲームや通信販売番組のインターネット購入サイトなどである。ユーザーがこれらのような放送の内容と関係する独立アプリケーションを使用しているときに、関係番組の放送が開始されても、該当する放送チャンネルが選局されていない限り当該関連番組は受信されずに放送関連アプリケーションも起動されない。このことは、番組提供者にとっては番組提供の機会の喪失となり、ユーザーにとっては番組視聴の機会の喪失となる。
【０００６】
上記問題に鑑み、本発明は、独立アプリケーションを実行中に関連番組の放送が開始された場合に自動的に関連番組に切り替えることができる放送受信装置を提供することを目的とする。
【課題を解決するための手段】
【０００７】
本発明の一局面に従った放送受信装置は、放送波を通じて放送信号を受信する放送信号受信部と、通信網を通じて通信信号を受信する通信信号受信部と、前記通信信号受信部による通信コンテンツの受信を管理する通信コンテンツ受信管理部と、前記放送信号受信部によって受信された放送信号に含まれるアプリケーション制御信号に従って前記通信コンテンツ受信管理部に放送関連アプリケーションの受信を要求するアプリケーション制御部と、前記アプリケーション制御信号に従って前記通信網を通じて受信された放送関連アプリケーションおよび前記アプリケーション制御信号とは無関係に前記通信網を通じて受信された独立アプリケーションを択一的に実行するアプリケーションエンジン部と、前記アプリケーションエンジン部によって前記独立アプリケーションが実行されている場合において、前記独立アプリケーションに付随する情報であって前記独立アプリケーションの関連番組の選局情報から受信可能な関連番組の選局情報を抽出する選局決定部と、前記アプリケーションエンジン部によって前記独立アプリケーションが実行されている場合において、現在時刻を監視して前記受信可能な関連番組の放送開始時刻になったとき、前記放送信号受信部に対して前記受信可能な関連番組の放送チャンネルの選局を指示する自動選局部とを備えている。
【０００８】
これによると、アプリケーションエンジン部によって独立アプリケーションが実行されている場合において当該独立アプリケーションの関連番組の放送開始時刻になったとき、当該関連番組の放送チャンネルが自動的に選局される。
【０００９】
上記の放送受信装置において、前記独立アプリケーションの関連番組の選局情報が、前記通信網に接続された外部のサーバー装置に保存されており、前記選局決定部が、前記サーバー装置に保存されている前記選局情報から受信可能な関連番組の選局情報を抽出するものであってもよい。
【００１０】
上記の放送受信装置は、さらに、電子番組ガイドデータを検索して、前記独立アプリケーションの関連番組の選局情報に含まれる個別の関連番組が電子番組ガイドデータ中に存在するか否かを判定する電子番組ガイド制御部を備えていてもよく、前記電子番組ガイドデータが、前記通信網に接続された外部のサーバー装置に保存されており、前記電子番組ガイド制御部が、前記サーバー装置に保存されている電子番組ガイドデータを検索するものであってもよい。
【００１１】
上記の放送受信装置において、前記自動選局部が、前記放送信号受信部に対して前記放送チャンネルの選局を指示する前に、前記独立アプリケーションの実行中止の可否をユーザーに問い合わせ、ユーザーが許可した場合にのみ、放送信号受信部に対して前記放送チャンネルの選局を指示するものであってもよい。
【００１２】
上記の放送受信装置において、前記自動選局部が、前記放送信号受信部に対して前記放送チャンネルの選局を指示する前に、バックグラウンドで前記受信可能な関連番組の放送チャンネルの受信テストを行ってもよい。さらに、前記放送チャンネルが受信不能である場合、前記選局決定部が、前記独立アプリケーションの関連番組の選局情報から別の関連番組の選局情報を抽出してもよい。
【発明の効果】
【００１３】
本発明によると、独立アプリケーションを実行中に関連番組の放送が開始された場合に自動的に関連番組に切り替えることができる。これにより、番組提供者による番組提供の機会およびユーザーの番組視聴の機会の喪失を防ぐことができる。
【図面の簡単な説明】
【００１４】
【図１】本発明の一実施形態に係る放送受信装置の概要を示す機能ブロック図
【図２】本発明の一実施形態に係る放送受信装置のソフトウェア構成例を示す機能ブロック図
【図３】独立アプリケーションの一例を示す図
【図４】本発明の一実施形態に係る放送受信装置による自動選局処理のフローチャート
【図５】本発明の一実施形態に係る放送受信装置によるアプリケーション実行時の画面例を示す図
【発明を実施するための形態】
【００１５】
以下、図面を参照しながら本発明を実施するための形態について説明する。なお、本発明は、以下の実施形態に限定されるものではない。
【００１６】
図１は、本発明の一実施形態に係る放送受信装置の概要を示す機能ブロック図である。本実施形態に係る放送受信装置１００は、放送と通信が融合したサービスを提供する装置であり、放送信号受信部１１、放送信号デコード部１２、通信信号受信部１３、通信信号デコード部１４、映像音声出力部１５、通信コンテンツ受信管理部１６ａ、アプリケーション制御部１６ｂ、アプリケーションエンジン部１６ｃ、選局決定部１６ｄ、および自動選局部１６ｅを備えている。具体的には、放送受信装置１００は、テレビジョン放送受信機、ビデオレコーダー、セットトップボックスなどのアプライアンスとして実施することができる。また、放送受信装置１００は、ＰＣや携帯端末などで実行されるアプリケーションソフトウェアとして実施することもできる。
【００１７】
放送信号受信部１１は、放送波を通じて放送信号を受信する。放送波は、例えば、地上デジタル放送、ＢＳやＣＳなどの衛星デジタル放送、ケーブルテレビジョン放送などである。放送信号受信部１１は、図示しないチューナーを有しており、受信した放送波の中からチューナーによって所望の放送チャンネルを選局して当該放送チャンネルの放送信号を取得する。
【００１８】
放送信号には、圧縮符号化された映像データや音声データ、さらに字幕などの補助データが多重化されている。放送信号デコード部１２は、放送信号受信部１１によって受信された放送信号からこれらデータを分離する処理を行って、各データをデコードして音声信号、映像信号、および字幕信号を生成する。
【００１９】
通信信号受信部１３は、インターネットなどの通信網を通じて通信信号を受信する。通信信号は、例えば、ＴＣＰやＵＤＰなどの伝送制御プロトコルに従って、通信網における図示しないサーバー装置から送信されるパケットデータである。
【００２０】
通信信号には、圧縮符号化された映像データや音声データが含まれる。通信信号デコード部１４は、通信信号受信部１３によって受信された通信信号に含まれる映像データおよび音声データをデコードして映像信号および音声信号を生成する。
【００２１】
通信コンテンツ受信管理部１６ａは、通信信号受信部１３による通信コンテンツの受信を管理する。通信コンテンツは、例えば、動画データ、静止画データ、音声データ、アプリケーション、各種データなどである。アプリケーションは、起動〜イベント発生〜終了までが放送により管理される放送関連アプリケーションと、放送とは無関係な独立アプリケーションに大別される。
【００２２】
アプリケーション制御部１６ｂは、放送信号受信部１１によって受信された放送信号に含まれるアプリケーション制御信号に従って、通信コンテンツ受信管理部１６ａに放送関連アプリケーションの受信を要求する。通信コンテンツ受信管理部１６ａは、当該要求を受けると、通信信号受信部１３を制御して、通信網における指定されたサイトから放送関連アプリケーションを受信（ダウンロード）する。
【００２３】
アプリケーションエンジン部１６ｃは、アプリケーション制御信号に従って通信網を通じて受信された放送関連アプリケーションおよびアプリケーション制御信号とは無関係に通信網を通じて受信された独立アプリケーションを択一的に実行する。例えば、アプリケーションエンジン部１６ｃは、放送関連アプリケーションを実行する場合、アプリケーション制御部１６ｂから放送信号に含まれるアプリケーション制御データを受け、通信信号受信部１３からアプリケーション用データを受け、通信信号デコード部１４から音声信号および映像信号を受け、これらデータおよび信号を処理する。一方、アプリケーションエンジン部１６ｃは、独立アプリケーションを実行する場合、通信信号受信部１３からアプリケーション用データを受け、通信信号デコード部１４から音声信号および映像信号を受け、これらデータおよび信号を処理する。
【００２４】
選局決定部１６ｄは、アプリケーションエンジン部１６ｃによって独立アプリケーションが実行されている場合において、当該独立アプリケーションに付随する情報であって当該独立アプリケーションの関連番組の選局情報から受信可能な関連番組の選局情報を抽出する。選局決定部１６ｄの詳細については後述する。
【００２５】
自動選局部１６ｅは、アプリケーションエンジン部１６ｃによって独立アプリケーションが実行されている場合において、現在時刻を監視して、選局決定部１６ｄによって抽出された受信可能な関連番組の放送開始時刻になったとき、放送信号受信部１１に対して当該受信可能な関連番組の放送チャンネルの選局を指示する。自動選局部１６ｅの詳細については後述する。
【００２６】
映像音声出力部１５は、放送信号デコード部１２から出力される映像信号、音声信号、および字幕信号、ならびにアプリケーションエンジン部１６ｃから出力される映像信号および音声信号を処理して、フラットパネルディスプレイやスピーカーなどのデバイス（図略）において再生される映像信号および音声信号を出力する。
【００２７】
上記構成要素のうち通信コンテンツ受信管理部１６ａ、アプリケーション制御部１６ｂ、アプリケーションエンジン部１６ｃ、選局決定部１６ｄ、および自動選局部１６ｅは、ソフトウェアで構成することができる。すなわち、これらソフトウェア要素は、図示しないＣＰＵにおいてそれぞれが独立したタスクとして実行され得る。
【００２８】
図２は、放送受信装置１００のソフトウェア構成例を示す機能ブロック図である。放送受信装置１００は、上記５つのソフトウェア要素のほかに、内部保存データ制御部１６ｆ、電子番組ガイド制御部１６ｇ、および内部時刻管理部１６ｈを含む。
【００２９】
内部保存データ制御部１６ｆは、放送受信装置１００で受信可能な放送局の情報を管理する。地上デジタル放送の場合、地域ごとに受信可能な放送局が決まっている。内部保存データ制御部１６ｆは、放送受信装置１００の受信設定時に検出された受信可能な放送局の情報を受信可能放送局データ２０１として、放送受信装置１００における記憶装置（図略）に保存する。また、内部保存データ制御部１６ｆは、他のソフトウェア要素から受信可能な放送局についての問い合わせを受けた場合、受信可能放送局データ２０１を参照して、問い合わせに係る放送局の受信の可否を回答する。
【００３０】
放送受信装置１００がＰＣや携帯端末などの可搬型の場合、放送受信装置１００が異なる受信地域に運ばれるごとに受信設定が行われ、受信可能放送局データ２０１が更新される。また、ユーザーが有料チャンネルを契約するなどして受信可能な放送局が増えた場合、内部保存データ制御部１６ｆは、受信可能放送局データ２０１に新たに受信可能となった放送局の情報を追加する。逆に、ユーザーが有料チャンネルを解約するなどしてそれまで受信可能だった放送局が受信不可能となった場合、内部保存データ制御部１６ｆは、受信可能放送局データ２０１から受信不可能となった放送局の情報を削除する。このように、受信可能放送局データ２０１には、放送受信装置１００が受信可能な放送局に関する最新の情報が保存されている。
【００３１】
デジタル放送では、ＥＰＧ（Electronic Program Guide）やＩＰＧ（Interactive Program Guide）などのグラフィカルユーザーインタフェースを有する電子番組ガイドが利用可能である。電子番組ガイド制御部１６ｇは、放送波および／または通信網を通じて取得した最新の電子番組ガイドデータ２０２を放送受信装置１００における記憶装置（図略）に保存する。また、電子番組ガイド制御部１６ｇは、放送チャンネル、放送番組名、放送日、放送開始時刻、放送終了時刻などの情報に基づいて電子番組ガイドデータ２０２を検索して、電子番組ガイドデータ２０２中に目的の放送番組が存在するか否かを判定する。
【００３２】
電子番組ガイドデータ２０２は、放送受信装置１００ではなく、通信網に接続された外部のサーバー装置に保存されていることがある。その場合、電子番組ガイド制御部１６ｇは、当該サーバー装置にアクセスして、当該サーバー装置に保存されている電子番組ガイドデータを検索して目的の放送番組を見つけることができる。
【００３３】
内部時刻管理部１６ｈは、放送受信装置１００の内部時刻を管理する。内部時刻は、録画予約された放送番組の録画開始時刻の監視などに使用される。内部時刻管理部１６ｈは、他のソフトウェア要素から問い合わせを受けると現在時刻を返す。
【００３４】
選局決定部１６ｄは、アプリケーションエンジン部１６ｃによって独立アプリケーションが実行されている場合において、独立アプリケーションの関連番組の選局情報２０３から受信可能な関連番組の選局情報２０４を抽出する。独立アプリケーションの関連番組の選局情報２０３は、独立アプリケーションに付随する情報である。
【００３５】
図３は、独立アプリケーションの一例を示す。図３の例に係る独立アプリケーションは、テレビショッピング用のアプリケーションであり、例えば、ＨＴＭＬ５に準拠したウェブアプリケーションとして配信され得る。このようなアプリケーションにおいて、選局情報は、ＨＴＭＬ５の独自data属性を利用して記述することができる。すなわち、選局情報全体は、"program Table"というクラス属性（class）のdivタグによって定義することができる。図３の例では、"テレビショッピング"という番組名（data-program-name）で選局情報全体が定義されている。選局情報全体は、さらに、複数個の下位のdivタグを含んでいる。下位のdivタグによって個々の関連番組の選局情報が定義され得る。例えば、"program-1"というクラス属性（class）で定義された関連番組については、放送チャンネル（data-physicalChannel）が"14"であり、放送日（data-date）が"2013/05/10"であり、放送開始時刻（data-startTime）が"10:10"であり、放送終了時刻（data-endTime）が"10:30"であることなどが定義されている。
【００３６】
なお、図３の例のように、個別の関連番組の選局情報として、データネットワークＩＤ（data-networkID）、データトランスポートストリームＩＤ（data-transportStreamID）、データサービスＩＤ（data-serviceID）などのより詳細な放送チャンネル情報が含まれていてもよい。
【００３７】
選局決定部１６ｄは、独立アプリケーションの関連番組が放送受信装置１００において受信可能であるかを判定するために、各関連番組が電子番組ガイド中に存在するかを電子番組ガイド制御部１６ｇに問い合わせる。電子番組ガイド制御部１６ｇは、選局決定部１６ｄから提供される各関連番組の放送チャンネル、放送日、放送開始時刻、放送終了時刻などの情報に基づいて電子番組ガイドデータ２０２を検索して電子番組ガイド中に目的の関連番組が存在するか否かを判定し、結果を選局決定部１６ｄへ返す。
【００３８】
また、選局決定部１６ｄは、独立アプリケーションの関連番組が放送受信装置１００において受信可能であるかを判定するために、内部保存データ制御部１６ｆに受信可能性を問い合わせる。内部保存データ制御部１６ｆは、選局決定部１６ｄから提供される各関連番組の放送チャンネルの情報に基づいて受信可能放送局データ２０１を参照して目的の関連番組の放送チャンネルの受信可能性を判定し、結果を選局決定部１６ｄへ返す。
【００３９】
なお、内部保存データ制御部１６ｆに提供される放送チャンネルの情報として、少なくとも放送チャンネル（data-physicalChannel）があればよい。放送チャンネル（data-physicalChannel）の情報だけでは受信可能性が判定できない場合には、データネットワークＩＤ（data-networkID）、データトランスポートストリームＩＤ（data-transportStreamID）、データサービスＩＤ（data-serviceID）などのより詳細な放送チャンネル情報を内部保存データ制御部１６ｆに提供するようにしてもよい。
【００４０】
自動選局部１６ｅは、アプリケーションエンジン部１６ｃによって独立アプリケーションが実行されている場合において、受信可能な関連番組の選局情報２０４を参照して目的の関連番組の放送開始時刻を監視する。そのために、自動選局部１６ｅは、内部時刻管理部１６ｈに時刻を問い合わせて現在時刻を監視する。そして、現在時刻が目的の関連番組の放送開始時刻になったとき、自動選局部１６ｅは、放送信号受信部１１に対して目的の関連番組の放送チャンネルの選局を指示する。
【００４１】
次に、放送受信装置１００による自動選局処理について説明する。図４は、放送受信装置１００による自動選局処理のフローチャートである。
【００４２】
まず、選局決定部１６ｄが、アプリケーションエンジン部１６ｃによって実行中の独立アプリケーションの関連番組の選局情報２０３から、最初の関連番組を選択して当該関連番組の選局情報を取得する（Ｓ１０）。そして、選局決定部１６ｄが、独立アプリケーションの関連番組の選局情報２０３の中に関連番組の選局情報があるか否かを判定し（Ｓ１１）、関連番組の選局情報がなければ（Ｓ１１でＮＯ）、自動選局処理は終了する。
【００４３】
一方、独立アプリケーションの関連番組の選局情報２０３の中に関連番組の選局情報がある場合（Ｓ１１でＹＥＳ）、選局決定部１６ｄは、当該関連番組に関して電子番組ガイド制御部１６ｇに問い合わせを行う。電子番組ガイド制御部１６ｇは、放送チャンネル、放送番組名、放送日、放送開始時刻、放送終了時刻などの情報に基づいて電子番組ガイドデータ２０２を検索して、電子番組ガイド２０２中に目的の放送番組が存在するか否かを判定する（Ｓ１２）。
【００４４】
電子番組ガイド制御部１６ｇから電子番組ガイド２０２中に目的の放送番組が存在しないという回答があった場合（Ｓ１３でＮＯ）、選局決定部１６ｄは、独立アプリケーションの関連番組の選局情報２０３から次の関連番組を選択し（Ｓ１４）、ステップＳ１０へ戻る。
【００４５】
一方、電子番組ガイド制御部１６ｇから電子番組ガイド２０２中に目的の放送番組が存在するという回答があった場合（Ｓ１３でＹＥＳ）、選局決定部１６ｄは、当該関連番組に関して内部保存データ制御部１６ｆに問い合わせを行う。内部保存データ制御部１６ｆは、受信可能放送局データ２０１を参照して、問い合わせに係る放送局の受信の可否を判定する（Ｓ１５）。
【００４６】
内部保存データ制御部１６ｆから目的の放送番組が受信不可能という回答があった場合（Ｓ１６でＮＯ）、選局決定部１６ｄは、独立アプリケーションの関連番組の選局情報２０３から次の関連番組を選択し（Ｓ１４）、ステップＳ１０へ戻る。
【００４７】
一方、内部保存データ制御部１６ｆから目的の放送番組が受信不可能という回答があった場合（Ｓ１６でＮＯ）、選局決定部１６ｄは、当該受信可能な関連番組を、受信可能な関連番組の選局情報２０４として出力する。
【００４８】
自動選局部１６ｅは、内部時刻管理部１６ｈに問い合わせを行って現在時刻を監視する（Ｓ１７）。現在時刻の監視は、受信可能な関連番組の選局情報２０４に含まれる関連番組の放送開始時刻になるまで繰り返される（Ｓ１８でＮＯ）。そして、現在時刻が当該関連番組の放送開始時刻になったとき（Ｓ１８でＹＥＳ）、自動選局部１６ｅは、放送信号受信部１１に対して関連番組の放送チャンネルの選局を指示する。
【００４９】
放送信号受信部１１は、自動選局部１６ｅの指示に従って放送チャンネルの選局を実行する（Ｓ１９）。これにより、アプリケーションエンジン部１６ｃによって実行中の独立アプリケーションが停止し、画面表示が放送番組に切り替わる。当該放送番組に放送関連アプリケーションが含まれる場合、アプリケーションエンジン部１６ｃにおいて独立アプリケーションに代わって当該放送関連アプリケーションが実行される。
【００５０】
なお、自動選局部１６ｅは、放送信号受信部１１に対して関連番組の放送チャンネルの選局を指示する前に、独立アプリケーションの実行中止の可否をユーザーに問い合わせてもよい。そして、自動選局部１６ｅは、ユーザーが許可した場合にのみ、放送信号受信部１１に対して関連番組の放送チャンネルの選局を指示するようにしてもよい。ユーザーによっては関連番組の視聴を希望しない場合もあり、そのようなユーザーにとって画面表示を独立アプリケーションから放送番組に勝手に切り替えてしまうのは不適当だからである。
【００５１】
また、自動選局部１６ｅは、放送信号受信部１１に対して関連番組の放送チャンネルの選局を指示する前に、放送信号受信部１１に対して、バックグラウンド、すなわち、画面の切り替えを行わないようにして、関連番組の放送チャンネルの受信テストを行うように指示してもよい。例えば、有料チャンネルの契約が切れていた場合、受信可能放送局データ２０１および電子番組ガイドデータ２０２に基づいて受信可能であると判断した番組が実際には受信できないこともあり得るからである。受信テストの結果、もし、関連番組の放送チャンネルが受信不能であることが判明した場合、ステップＳ１４に移って、選局決定部１６ｄは、独立アプリケーションの関連番組の選局情報２０３から次の関連番組を選択することができる。
【００５２】
図５は、放送受信装置１００によるアプリケーション実行時の画面例を示す図である。本画面例は、放送受信装置１００がテレビショッピングに関するアプリケーションを実行例である。画面１５０中の動画表示領域１５１には、放送関連アプリケーションの実行時には放送番組の動画像が、独立アプリケーションの実行時にはストリーミングデータの動画像が表示される。画面１５０にはさらに別の表示領域１５２，１５３が含まれる。表示領域１５２には、例えば、番組で紹介中の商品情報が表示される。表示領域１５３には、例えば、本日のお勧め商品の一覧が表示される。
【００５３】
なお、放送関連アプリケーションと独立アプリケーションとで画面デザインを同じにしておくことにより、独立アプリケーションから放送関連アプリケーションへの画面切り替えをシームレスに行うことができる。特に、動画表示領域１５１の位置および大きさを固定することにより、画面変化の一番大きな部分を固定することができるため、独立アプリケーションから放送関連アプリケーションへの画面切り替えに伴う画面変化を抑えることが可能となり、ユーザーの利便性を向上させることができる。
【００５４】
上記のように、本実施形態によると、ユーザーが独立アプリケーションを利用している場合において独立アプリケーションの関連番組の放送開始時刻になったとき、関連番組が自動的に選局され、画面に関連番組が表示される。これにより、番組提供者による番組提供の機会およびユーザーの番組視聴の機会の喪失を防ぐことができる。
【符号の説明】
【００５５】
１００  放送受信装置
１１    放送信号受信部
１３    通信信号受信部
１６ａ  通信コンテンツ受信管理部
１６ｂ  アプリケーション制御部
１６ｃ  アプリケーションエンジン部
１６ｄ  選局決定部
１６ｅ  自動選局部
１６ｇ  電子番組ガイド制御部
【図１】
2015033008.tif 000003
【図２】
2015033008.tif 000004
【図３】
2015033008.tif 000005
【図４】
2015033008.tif 000006
【図５】
2015033008.tif 000007